【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
情報処理装置であって、
人物の生体情報を取得する取得手段と、
前記取得手段によって取得された、特定人物を含む複数の人物の生体情報の状態に基づいて、前記情報処理装置が、前記特定人物ではない人物に応答可能な処理を決定する決定手段と、
前記特定人物と前記情報処理装置との位置関係に対応する前記特定人物の状態が何れの状態かを識別する識別手段と、を有し、
前記決定手段は、前記識別手段によって識別された前記状態に基づいて、前記特定人物ではない人物に応答可能な処理を決定することを特徴とする、
情報処理装置。
【請求項２】
前記情報処理装置は、更に画面を有し、
前記位置関係は、前記特定人物が前記画面側に存在するか否かを判定することで識別される関係であることを特徴とする、
請求項１に記載の情報処理装置。
【請求項３】
前記取得手段は、情報処理装置に設置された画面と対向する位置に存在する人を写す第１のカメラと、第１のカメラとは逆の方向に向けて設置された第２のカメラから撮像される画像から検出される人物の顔画像に基づいて前記生体情報を取得し、
前記位置関係は、前記特定人物の顔が前記第１のカメラで撮像された画像と、前記第２のカメラで撮像された画像のいずれから検出されたかによって特定されることを特徴とする、
請求項２に記載の情報処理装置。
【請求項４】
前記決定手段はさらに、前記第１のカメラで撮像された画像において複数の人物の顔画像が検出された場合には、前記顔画像の状態に応じて、いずれの人物によって前記情報処理装置が操作されているかを区別し、前記特定人物ではない人物に応答可能な処理を決定することを特徴とする、
請求項３に記載の情報処理装置。
【請求項５】
前記決定手段は、前記特定人物が画面側にいない位置関係のときに、前記特定人物が画面側にいる位置関係のときよりも、前記特定人物ではない人物に対して応答可能な処理を減らすことを特徴とする、
請求項２乃至４のいずれか一項に記載の情報処理装置。
【請求項６】
前記取得手段は、前記情報処理装置に設置された指紋センサによって検知される指紋情報を前記生体情報として取得し、
前記位置関係は、前記取得手段によって取得された指紋情報に基づいて前記特定人物が前記情報処理装置を前記特定人物ではない人物に手渡したことが推定される時刻からの経過時間に基づいて特定されることを特徴とする、
請求項１に記載の情報処理装置。
【請求項７】
前記決定手段は、前記経過時間が所定時間より短い場合、前記特定人物が前記情報処理装置に近い範囲に存在すると推定し、前記経過時間が所定時間を越えた場合、前記特定人物が前記情報処理装置に近い範囲に存在しないと推定することを特徴とする、
請求項６に記載の情報処理装置。
【請求項８】
前記決定手段は、前記経過時間が所定時間を超える場合に前記情報処理装置が、前記特定人物ではない人物に対する応答を抑制することを特徴とする、
請求項６又は７に記載の情報処理装置。
【請求項９】
前記決定手段は、前記経過時間の長さに応じて、前記情報処理装置が、前記特定人物ではない人物に対する応答可能な処理を段階的に増減させ、前記経過時間の長さが長いほど、前記応答可能な処理は少なく決定することを特徴とする、
請求項６又は７に記載の情報処理装置。
【請求項１０】
前記決定手段は、
前記特定人物と前記情報処理装置との位置関係が第１の関係であると推定される場合、前記特定人物ではない人物に対しては、実行中のアプリケーションに関する操作のみ応答可能とし、
前記位置関係が前記第１の関係と異なる第２の関係の場合、前記特定人物ではない人物に対して、表示中の画面のスクロール操作のみ応答可能とし、
前記位置関係が前記第１の関係及び前記第２の関係と異なる第３の関係の場合、前記特定人物ではない人物に対する応答を抑制することを特徴とする、
請求項１に記載の情報処理装置。
【請求項１１】
前記取得手段は、情報処理装置に設置された画面を見ている人を写す第１のカメラと、第１のカメラとは逆の方向に向けて設置された第２のカメラから撮像される画像から検出される人物の顔画像に基づいて前記生体情報を取得し、
前記第１の関係とは、前記第１のカメラに前記特定人物と前記特定人物ではない人物の両方が写る場合の前記位置関係であって、
前記第２の関係とは、前記第１のカメラに前記特定人物ではない人物が写り、かつ前記第２のカメラに前記特定人物が写る場合の前記位置関係であって、
前記第３の関係とは、前記第１のカメラ及び前記第２のカメラのいずれにも、前記特定人物が写らない場合の関係であることを特徴とする、
請求項１０に記載の情報処理装置。
【請求項１２】
前記取得手段は、情報処理装置に設置された画面を見ている人を写す第１のカメラと、第１のカメラとは逆の方向に向けて設置された第２のカメラから撮像される画像から検出される人物の顔画像に基づいて前記生体情報を取得し、
前記決定手段は、前記特定人物と前記情報処理装置との位置関係が、第１の関係、第２の関係、第３の関係のいずれであるかに応じて、前記特定人物ではない人物に対して実行可能な処理を異ならせ、
前記第１の関係とは、前記第１のカメラに前記特定人物と前記特定人物ではない人物の両方が写る場合の前記位置関係であって、
前記第２の関係とは、前記第１のカメラに前記特定人物ではない人物が写り、かつ前記第２のカメラに前記特定人物が写る場合の前記位置関係であって、
前記第３の関係とは、前記第１のカメラ及び前記第２のカメラのいずれにも、前記特定人物が写らない場合の関係であることを特徴とする、
請求項１に記載の情報処理装置。
【請求項１３】
コンピュータを、
請求項１から請求項１２のいずれか一項に記載の情報処理装置として機能させるためのコンピュータプログラム。
【請求項１４】
請求項１３に記載のコンピュータプログラムをコンピュータが読み取り可能に記録した記録媒体。
【請求項１５】
情報処理装置の制御方法であって、
取得手段により、人物の生体情報を取得する取得工程と、
決定手段により、前記取得工程において取得された、特定人物を含む複数の人物の生体情報の状態に基づいて、前記情報処理装置が、前記特定人物ではない人物に応答可能な処理を決定する決定工程と、
識別手段により、前記特定人物と前記情報処理装置との位置関係に対応する前記特定人物の状態が何れの状態かを識別する識別工程と、を有し、
前記決定工程では、前記識別工程によって識別された前記状態に基づいて、前記特定人物ではない人物に応答可能な処理を決定することを特徴とする、
情報処理装置の制御方法。
【手続補正２】
【補正対象書類名】明細書
【補正対象項目名】００１０
【補正方法】変更
【補正の内容】
【００１０】
本発明は、情報処理装置であって、人物の生体情報を取得する取得手段と、前記取得手段によって取得された、特定人物を含む複数の人物の生体情報の状態に基づいて、前記情報処理装置が、前記特定人物ではない人物に応答可能な処理を決定する決定手段と、前記特定人物と前記情報処理装置との位置関係に対応する前記特定人物の状態が何れの状態かを識別する識別手段と、を有し、前記決定手段は、前記識別手段によって識別された前記状態に基づいて、前記特定人物ではない人物に応答可能な処理を決定することを特徴とする。